(57)【要約】【課題】発光面積を減少することなく輝度むらや色むらを外観上軽減できる照明装置を提供する。【解決手段】照明装置は、外周部に光入射端面８１を有する導光板８と、この導光板８の前記光入射端面８１に出射光が入射するように複数並べられて配設された発光素子７２とを備えている。さらに、照明装置は、前記導光板８における光の照射面側であって、前記光入射端面８１の近傍に配設された透光性を有する拡散部材８５を備えている。【選択図】図５
2013118150.tif 000002
【特許請求の範囲】
【請求項１】
外周部に光入射端面を有する導光板と；
この導光板の前記光入射端面に出射光が入射するように複数並べられて配設された発光素子と；
前記導光板における光の照射面側であって、前記光入射端面の近傍に配設された透光性を有する拡散部材と；
を具備することを特徴とする照明装置。
【請求項２】
前記拡散部材は、光の照射方向に向かって拡がる傾斜面を有していることを特徴とする請求項１に記載の照明装置。
【請求項３】
装置取付面に取付けるための取付部を略中央部に有する取付部材を備えており、前記導光板は、取付部材の前面側を取付部を含んで覆うように配設されていることを特徴とする請求項１又は請求項２に記載の照明装置。
【発明の詳細な説明】
【技術分野】
【０００１】
本発明の実施形態は、発光ダイオード（以下、ＬＥＤと称する。）等の発光素子を光源として、導光板を用いて照明を行う照明装置に関する。
【背景技術】
【０００２】
近時、ＬＥＤの高出力化、高効率化に伴い、光源としてＬＥＤを用いた屋内又は屋外で使用される長寿命化が期待できる照明装置が開発されている。この照明装置は、ＬＥＤを基板に複数実装して所定の明るさを得るようにしたもので、例えば、天井面等に取付けられる一般住宅用のシーリングライトとして用いられている。
【０００３】
しかし、ＬＥＤから出射される光は指向性が強くグレアが生じやすく、また、輝度むらが発生しやすい。そこで、グレアを抑制し、発光面の均一性の向上を図るため、導光板を用いて照明を行う新たな照明装置が開発されている。
このような照明装置の場合、導光板の光入射端面に光が入射するように複数のＬＥＤが配設されるようになる。
【先行技術文献】
【特許文献】
【０００４】
【特許文献１】特開２００９−２８３１９７号公報
【特許文献２】国際公開２０１１／０８１２４６号
【発明の概要】
【発明が解決しようとする課題】
【０００５】
しかしながら、導光板の光入射端面の近傍において、輝度むらや色むらが生じる場合がある。これは、ＬＥＤから出射される光は、指向性が強いことと相俟って、光入射端面の近傍においては、複数のＬＥＤから出射される光の広がりが狭く、混光が良好に行われないことに起因するものと考えられる。
【０００６】
そこで、外観上、この輝度むらや色むらを視認できないように、導光板の光入射端面の近傍を不透光性の部材で覆うことが考えられるが、この場合は、導光板における光の照射面、すなわち、発光面積が減少してしまうという不都合が生じる。
本発明は、上記課題に鑑みてなされたもので、発光面積を減少することなく輝度むらや色むらを外観上軽減できる照明装置を提供することを目的とする。
【課題を解決するための手段】
【０００７】
本発明の実施形態による照明装置は、外周部に光入射端面を有する導光板と、この導光板の前記光入射端面に出射光が入射するように複数並べられて配設された発光素子と、前記導光板における光の照射面側であって、前記光入射端面の近傍に配設された透光性を有する拡散部材とを備えている。
【発明の効果】
【０００８】
本発明の実施形態によれば、輝度むらや色むらを外観上軽減できる照明装置を提供することが可能となる。
【図面の簡単な説明】
【０００９】
【図１】本発明の実施形態に係る照明装置を示す斜視図である。
【図２】同照明装置の背面側を示す斜視図である。
【図３】同照明装置において、光源部本体を分解して示す斜視図である。
【図４】図２中、Ｙ−Ｙ線に沿って示す断面図である。
【図５】図４中、Ａ部を示す拡大図である。
【図６】同照明装置において、前フレーム及び拡散カバーを取外して示す平面図である。
【図７】同照明装置において、天井面への取付手順を示しており、取付部材を天井面に取付けた状態を示す断面図である。
【図８】同じく、照明装置において、天井面への取付手順を示しており、取付部材に光源部本体が支持された状態を示す断面図である。
【発明を実施するための形態】
【００１０】
本実施形態の照明装置は、装置取付面に設置された配線器具としての引掛けシーリングボディに取付けられて使用される形式であり、導光板を用いて例えば、室内の照明を行うものである。
【００１１】
以下、本発明の実施形態について図１乃至図８を参照して説明する。各図において電線等の配線接続関係は省略して示している場合がある。なお、同一部分には同一符号を付し、重複した説明は省略する。
【００１２】
図１乃至図５、図７に示すように、照明装置は、基本的に、取付部材１と、光源部本体２との２部材から構成されている。取付部材１には、点灯装置３、取付部４としてのアダプタガイド、間接光光源部５及び複数の電気的補助部品が設けられた補助部品ユニット６が配設されている。また、光源部本体２は、光源部７、導光板８、フレーム部材９及び拡散カバー１０を備えている。
【００１３】
さらに、照明装置は、装置取付面としての天井面Ｃに設置された引掛けシーリングボディＣｂに電気的かつ機械的に接続されるアダプタＡ及び光源部２の点灯状態を制御する赤外線リモコン送信器Ｒｃを備えている。このような照明装置は、略正方形状の外観に形成され、前面側を光の照射面とし、背面側を天井面Ｃへの取付面としている。これらの構成要素について順次説明する。
【００１４】
取付部材１は、冷間圧延鋼板等の金属材料から略長方形状の平板状に形成された装置本体である。具体的にはシャーシであり、略中央部には、天井面Ｃに設置された引掛けシーリングボディＣｂ及びアダプタＡに対向する後述する取付部４が配置される略円形状をなす開口１１が形成されている。
【００１５】
また、取付部材１の長手方向の対向する一辺側の略中央部には、鍵状に折曲された係止受金具１２がねじ等の固定手段によって取付けられている。一方、他辺側における両端の角部には、略Ｌ字状に折曲されて前面側へ延出する一対の取付金具１３が同様に、ねじ等の固定手段によって取付けられている。
【００１６】
点灯装置３は、図４に代表して示すように、回路基板と、この回路基板に実装された制御用ＩＣ、トランス、コンデンサ等の回路部品とを備えている。回路基板は、中央部の周囲を囲むように板状に形成されていて、その表面側に回路部品が実装されている。
【００１７】
回路基板には、アダプタＡ側が電気的に接続されて、アダプタＡを介して商用交流電源に接続される。したがって、点灯装置３は、この交流電源を受けて直流出力を生成し、電線を介してその直流出力を光源部７に供給し、光源部７を点灯制御するようになっている。
【００１８】
このような点灯装置３は、図２の参照を加えて示すように、点灯装置カバー３５に取付けられ覆われて、取付部材１の背面側に配置されるようになる。この場合、回路基板は、回路部品が前面側（図示上、下方側）に向けられて取付けられる。なお、回路基板の裏面側には、スイッチング素子や表面実装部品等の比較的高さ寸法の小さい部品を実装するようにしてもよい。
【００１９】
点灯装置カバー３５は、冷間圧延鋼板等の金属材料によって略四角形の短筒状に形成され、側壁３５ａは、前面側に向かって拡開するように傾斜状をなしており、背面壁３５ｂの中央部には、開口３５ｃが形成されている。
この点灯装置カバー３５は、前面側のフランジが取付部材１に載置され、ねじ止めされて取付けられる。
【００２０】
また、点灯装置カバー３５の背面側には、弾性部材３６が取付けられている。弾性部材３６は、ステンレス鋼等の材料からなる金属製のばね部材であり、点灯装置カバー３５の各辺に対応して取付けられていて、一対の先端側が拡開するように背面側へ延出している。
【００２１】
弾性部材３６は、照明装置が装置取付面としての天井面Ｃに取付けられた状態において、天井面Ｃとの間に弾性変形を伴って介在するように配設される部材であり、照明装置を天井面Ｃに確実に保持する作用をなしている。
【００２２】
取付部４は、アダプタガイドであり、アダプタＡが挿通し係合する部材であり、照明装置を天井面Ｃに取付けるための部材である。アダプタガイドは、図２及び図４に示すように、略円筒状に形成されていて、中央部には、アダプタＡが挿通し、係合する円形状の係合口４１が設けられている。このアダプタガイドは、取付部材１の略中央部に形成された開口１１に対応して配設されている。
【００２３】
なお、取付部４は、必ずしもアダプタガイド等と指称される部材である必要はない。例えば、シャーシ等に形成される開口であってもよく、配線器具としての引掛けシーリングボディＣｂに対向し、アダプタＡが係合される部材や部分を意味している。要は、照明装置を天井面Ｃに取付けるための部材や部分である。
【００２４】
間接光光源部５は、取付部材１の背面側に配設されていて、主として天井面Ｃを明るく照らす機能を有している。図２乃至図４に示すように、間接光光源部５は、取付部４の周囲に位置して複数個配設されており、基板５１と、この基板５１に実装された複数の発光素子５２とを備えている。
基板５１は、略長方形状の平板に形成されており、発光素子５２は、この基板５１の長手方向に沿って直線状に並べられて実装されている。
【００２５】
この発光素子５２が実装された基板５１が前記点灯装置カバー３５の側壁３５ａにおける４箇所に取付けられている。この場合、点灯装置カバー３５は、略四角形に形成されており、基板５１は、その側壁３５ａにおける直線状の平坦面に取付けられているので、取付けが安定的に行われることとなる。
【００２６】
また、基板５１の取付部をなす側壁３５ａは、前面側に向かって拡開する傾斜状に形成されているため、基板５１は、斜め上方、つまり、天井面Ｃ方向へ向けられることとなり、発光素子５２から出射される光は、天井面Ｃ方向へ向かって効果的に照射されるようになる。
【００２７】
さらに、各間接光光源部５は、断面が背面側へ向かって拡開するような傾斜状に形成された透光性のカバー５３に覆われるようになっている。このため、照明装置が天井面Ｃ取付けられた状態において、下方から照明装置の側部を見た場合、点灯装置カバー３５の背面側に取付けられた弾性部材３６を視認しにくくすることが可能となる。
【００２８】
発光素子５２は、ＬＥＤであり、表面実装型のＬＥＤパッケージであって、発光色が電球色（Ｌ）のものが用いられている。この発光素子５２は、点灯装置３に接続されて点灯制御されるようになっている。
【００２９】
補助部品ユニット６は、取付部材１の他辺側の中央部に配設されている。補助部品ユニット６は、横長箱状のケース内にユニット基板及びこの基板に実装された複数の電気的補助部品を備えて構成されている。本実施形態における電気的補助部品は、赤外線リモコン信号受信部、常夜灯やチャンネル設定スイッチ等である。
次に、光源部本体２は、光源部７、導光板８、フレーム部材９及び拡散カバー１０を備えている。
光源部７は、図３乃至図５に示すように、基板７１と、この基板７１に実装された発光素子７２とを備えている。
【００３０】
基板７１は、図３に代表して示すように、横長の長方形状に形成されていて、絶縁材であるガラスエポキシ樹脂（ＦＲ−４）の平板からなり、表面側には銅箔で形成された配線パターンが施されている。また、配線パターンの上に適宜レジスト層が積層されて形成されるようになっている。なお、基板７１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００３１】
発光素子７２は、ＬＥＤであり、表面実装型のＬＥＤパッケージである。このＬＥＤパッケージが基板７１の長手方向に沿って直線状に並べられて複数個実装され配設されている。ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００３２】
ＬＥＤパッケージには、発光色が電球色（Ｌ）のものと昼光色（Ｄ）のものとが用いられて、いわゆる白色のものが用いられており、これらが長手方向に沿って交互に直線状に並べられて配設されている。ＬＥＤチップは、青色光を発光するＬＥＤチップである。透光性樹脂には、蛍光体が混入されており、電球色（Ｌ）、昼光色（Ｄ）の白色系の光を出射できるようにするために、主として青色の光とは補色の関係にある黄色系の光を放射する黄色蛍光体や赤み成分を補うため赤色蛍光体が用いられている。なお、前記いわゆる白色には、昼光色（Ｄ）、昼白色（Ｎ）、白色（Ｗ）や電球色（Ｌ）等が含まれる。
【００３３】
なお、ＬＥＤは、ＬＥＤチップを直接基板７１に実装するようにしてもよく、また、砲弾型のＬＥＤを実装するようにしてもよく、実装方式や形式は、格別限定されるものではない。
このような光源部７の基板７１は、放熱部材としての取付板７３に取付けられるようになっている。
【００３４】
取付板７３は、アルミニウムや亜鉛めっき鋼板等の熱伝導が良好な材料から作られており、横長で側面が略Ｃ型チャンネル形状に形成されている。この取付板７３の内側壁には、基板７１がねじ止め等によって、その裏面側が密着するように取付けられている。したがって、発光素子７２は、基板７１を介して取付板７３と熱的に結合され、また、光源部７は、取付板７３に基板７１が取付けられてユニット化されている。
【００３５】
本実施形態では、主として図３に示すように、このユニット化された光源部７が４個用いられており、導光板８の各辺に対応して配設されるようになっている。また、ユニット化された光源部７相互は、コネクタによって電気的に接続されており、さらに、光源部７の一端からは電線によって導出されたコネクタＣｎ2が設けられるようになっている。
なお、このユニット化された光源部７は、導光板８の対向する二辺に配設してもよく、適宜設計に応じて選択することができる。
【００３６】
このような放熱部材としての取付板７３は、図２に示すように、取付部材１の外側に位置して外部へ露出するように配設される。つまり、各取付板７３は、取付部材１を内側にして取付部材１の周囲を囲むように四角形状をなして配設される。
【００３７】
また、取付板７３の対向する一辺側の中央部には、鍵状に折曲された係止金具７５が内側に向けてねじ等の固定手段によって取付けられている。一方、取付板７３の他辺側には、一対の取付金具７６がねじ等の固定手段によって取付けられている（図３参照）。
【００３８】
このような係止金具７５及び取付金具７６は、前述の取付部材１に設けられた係止受金具１２及び取付金具１３と対向するように配設されており、詳細を後述するように係止受金具１２及び取付金具１３に係止、固定されるようになっている。
【００３９】
なお、本実施形態においては、これら係止受金具１２及び取付金具１３、係止金具７５及び取付金具７６によって、取付部材１と光源部本体２との係止結合手段が構成されている。
【００４０】
導光板８は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。さらに、前面側の全面には、拡散シートが設けられている。また、この導光板８の外周部である四角形状の各辺の側端面は、発光素子７２から出射される光が入射して導光板８内を進行する光入射端面８１として機能するようになっている。
【００４１】
このような導光板８の光入射端面８１には、光源部７の基板７１が配設されるようになる。つまり、主として図５に示すように、導光板８の光入射端面８１に光が入射するように、複数の発光素子７２が基板７１に直線状に並べられて配設されるようになる。また、導光板８は、取付部材１の前面側を取付部４を含んで覆うようになる。
【００４２】
フレーム部材９は、光源部本体２の外周部を構成する部材であり、外フレーム９１、前フレーム９２及び透光性フレーム９３を備えて構成されている。外フレーム９１は、ＡＢＳ樹脂やポリカーボネート等の合成樹脂材料から作られていて、起立する側壁を有して略正方形状の枠状に形成されている。前フレーム９２は、白色を呈する合成樹脂材料から作られていて、板状に略正方形状の枠状に形成されている。
【００４３】
また、透光性フレーム９３は、アクリル樹脂等の透光性を有する材料によって同様に、略正方形状の枠状に形成されていて、図５に示すように、外フレーム９１と前フレーム９との間に介在するように配設されている。この透光性フレーム９３は、導光板８から放射される光を導光して光源部本体２の側方を明るくする機能を有している。
これらフレーム部材９は、詳細な構成を省略する取付金具によって取付板７３側に取付けられるようになっている。
拡散カバー１０は、アクリル樹脂等の透光性を有する材料に拡散処理がなされて略正方形状に形成されていて、導光板８の前面側を覆うように配設されている。
【００４４】
また、図４乃至図６に示すように、導光板８の前面側（光の照射面側）であって外周縁部には、拡散部材８５が配設されるようになっている。この拡散部材８５は、断面が略三角形状で細長状をなしていて、アクリル樹脂等の透光性を有する材料に拡散処理が施されて形成されている。この拡散部材８５を導光板８の外周縁部に配設することにより、導光板８の光入射端面８１の部分に生じやすい輝度むらや色むらを抑制することが可能となる。
【００４５】
より詳しくは、主として図５及び図６に示すように、発光素子７２は、発光色が電球色（Ｌ）のものと昼光色（Ｄ）のものとが基板７１の長手方向に沿って直線状交互に並べられて複数個実装され配設されている。この発光素子７２から出射される光が導光板８の入射端面８１から導光板８内に入射される。
【００４６】
このとき、図６の矢印で示すように、発光素子７２から出射される光は、指向性が強いことから隣接する発光素子７２相互から出射される光が入射端面８１の近傍では、その広がりが狭く、混光が良好に行われにくいという現象が生じる。このため、導光板８における入射端面８１の近傍では、輝度むらや色むらが発生する場合がある。
【００４７】
本実施形態においては、導光板８の入射端面８１の近傍に拡散部材８５を配設することにより、輝度むらや色むらを外観上軽減することが可能となる。つまり、導光板８の入射端面８１の近傍から出射される光は、拡散部材８５によって拡散されるため、輝度むらや色むらを緩和して均一化することが可能となる。また、この場合、導光板８における発光面積の減少を伴うことを回避できる。
【００４８】
さらに、拡散部材８５は、光の照射方向に向かって拡がる傾斜面８５ａを有して略三角形状に形成されているため、この傾斜面８５ａによって輝度の自然な連続性を確保し得るようになる。
【００４９】
アダプタＡは、図４に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。
【００５０】
また、このアダプタＡからは、前記点灯装置３へ接続する電源コードが導出され、その先端部には電源コネクタＣｎ1が接続されている（図７参照）。この電源コネクタＣｎ1は、点灯装置３側に設けられた図示しない受電用コネクタに接続されるようになっている。
【００５１】
赤外線リモコン送信器Ｒｃは、例えば、周波数３８ｋＨｚのパルス状の特定のコード化された赤外線リモコン制御信号を送信するもので、全光点灯ボタン、調光点灯ボタン、常夜灯ボタンや消灯ボタン等が設けられている。このリモコン送信器Ｒｃを補助部品ユニット６、すなわち、赤外線リモコン信号受信部に向けて操作することによって光源部７における発光素子７２の発光状態、つまり、全光点灯、調光点灯、消灯等の制御を行うことができる。
次に、上記のように構成された照明装置の天井面Ｃへの取付手順について、図４、図７及び図８を参照して説明する。
【００５２】
まず、図７に示すように天井面Ｃに引掛けシーリングボディＣｂが設置されている。また、この引掛けシーリングボディＣｂには、アダプタＡが電気的かつ機械的に接続されている。
【００５３】
この状態で図に示すように、取付部材１側をアダプタＡに取付ける。具体的には、取付部材１における取付部４としてのアダプタガイドの係合口４１をアダプタＡに合わせながら、アダプタＡの係止部Ａ1がアダプタガイドの係合口４１に確実に係合するまで取付部材１を下方から手で押し上げて取付け操作を行う。この状態でアダプタＡから導出されている電源コネクタＣｎ1を点灯装置３側の受電用コネクタに接続する。
【００５４】
次いで、この取付部材１に光源部本体２側を取付ける。図８に示すように、光源部本体２側に設けられた係止金具７５を取付部材１側の係止受金具１２に引掛けて光源部本体２を支持するとともに、取付部材１側と光源部本体２側とをチェーンＣｈで繋いで光源部本体２を吊下げ状態で支持する。チェーンＣｈは、光源部本体２の落下を防止して安全性を高める機能を有している。
【００５５】
その後、光源部７の一端から導出されている受電用コネクタＣｎ2を取付部材１の前面側に配設された点灯装置３側の給電用コネクタＣｎ3に接続する。この場合、受電用コネクタＣｎ2は、光源部７から余裕のある長さをもって電線によって導出されているので、点灯装置３側の給電用コネクタＣｎ3への接続作業が容易となるとともに受電用コネクタＣｎ2や電線にかかる張力を軽減することができる。このように、取付部材１側と光源部本体２側とは、受電用コネクタＣｎ2によって電気的に接離可能に接続されるようになっている。
【００５６】
続いて、光源部本体２を係止金具７５側を支点として回動し、取付部材１の前面側を覆うように閉塞する。この状態で、取付部材１に設けられた取付金具１３の貫通孔を貫通し、光源部本体２側に設けられた取付金具７６のねじ穴にねじ込まれる取付ねじＳによって光源部本体２は、取付部材１の前面側に確実に取付けられる。この状態が取付完了状態である（図４参照）。
【００５７】
照明装置の取付状態では、アダプタＡが点灯装置カバー３５の開口３５ｃを挿通し、アダプタＡの係止部Ａ1がアダプタガイドの係合口４１に係止され、点灯装置カバー３５の背面側に設けられた弾性部材３６が弾性変形し、点灯装置カバー３５の背面側と天井面Ｃとの間に圧縮状態で介在されるようになる。したがって、照明装置は、アダプタＡにがたつきなく、しっかりと係合し、安定して取付状態が保持される。
【００５８】
また、照明装置を取外す場合には、概略的には、前記取付ねじＳを取外し、光源部本体２を係止金具７５側を支点として開放方向に回動し、次いで、光源部本体２を取付部材１から取外し、取付部材１の前面側を開放する。そして、アダプタＡに設けられているレバーを操作してアダプタＡの係止部Ａ1の係合を解くことにより取付部材１を取外すことができる。
このように光源部本体２は、取付部材１の前面側に開閉可能に、かつ着脱可能に取付けられるようになっている。
【００５９】
以上のような照明装置の取付状態において、点灯装置３は、取付部材１側に配設されている。このため、取付部材１に結合される光源部本体２側の重量が軽減され、係止結合手段を構成する係止受金具１２及び取付金具１３、係止金具７５及び取付金具７６にかかる荷重負担が軽減され強度的に有利となる。
【００６０】
照明装置の取付状態において、例えば、赤外線リモコン送信器Ｒｃを操作して点灯装置３に電力が供給されると、基板７１を介して発光素子７２に通電され、各発光素子７２が点灯装置３によって点灯制御される。発光素子７２から出射された光は、導光板８の光入射端面６１へ入射し、この入射した光は、導光板８内で全反射して導光板８全体に広がるとともに、背面側に形成された反射ドットからなるドットパターンや反射シートによって反射されて拡散され、さらに、拡散カバー１０によって拡散されて均質化された光が前面側から放射される。
【００６１】
この場合、導光板８の入射端面８１の近傍に拡散部材８５が配設されているので、入射端面８１の近傍における輝度むらや色むらを外観上軽減することが可能となる。
【００６２】
また、導光板８から照射される光は、直接拡散カバー１０から前面側へ放射されるとともに拡散部材８５によって拡散されて前面側へ放射される。一方、拡散部材８５によって拡散される光の一部は、透光性フレーム９３に導光され、透光性フレーム９３から主として光源部本体２の側方に照射される。このため、前面側の発光面の面積を拡大でき、明るさ感の向上を図ることができる。
【００６３】
さらに、導光板８は、取付部材１の前面側を取付部４を含んで覆うようになっている。つまり、導光板８には、アダプタＡの操作等を可能とするための中央部の開口が形成されていない。このため、導光板８の中央部に暗部を生じることなく、発光面の輝度を均一化することができ、良好な配光状態を実現できるとともに、明るさ感を向上することが可能となる。
【００６４】
仮に、導光板８の中央部に開口が形成される場合、開口は光が導光されない部分であり、この部分が暗くなり、中央部が暗部となる現象が生じてしまうこととなる。
【００６５】
また、間接光光源部５に通電されると、各発光素子５２が点灯し、発光素子５２から斜め上方に出射された光は、透光性のカバー５３を透過し、取付部４の周囲から放射されるように、主として天井面に照射される。したがって、天井面が明るくなり、空間の明るさ感を向上させることができる。
【００６６】
光源部７における各発光素子７２が点灯されると、各発光素子７２から熱が発生する。各発光素子７２から発生した熱は、主として基板７１裏面側から放熱部材である取付板７３に伝導され放熱される。この場合、取付板７３は、取付部材１よりも外側に位置して外部へ露出するように配設されているので、外気が作用して冷却されやすく、効果的に放熱されるようになる。
【００６７】
以上のように本実施形態によれば、導光板８の入射端面８１の近傍に拡散部材８５が配設されているので、入射端面８１の近傍における輝度むらや色むらを外観上軽減することが可能となる。
なお、上記実施形態においては、点灯装置を取付部材側に配設する場合について説明したが、点灯装置を光源部本体側に配設することを妨げるものではない。
【００６８】
また、係止結合手段としては、ヒンジ構造を適用し、光源部本体を取付部材の前面側に開閉可能に取付けるようにしてもよい。さらに、例えば、外フレームの対向する両辺にクランプ金具を設けるようにして光源部本体を取付部材に対して着脱できるようにしてもよい。この場合にも取付部材の前面側は、光源部本体によって開閉可能となる。このように、係止結合手段は種々の構成が適用でき、格別特定のものに限定されるものではない。
【００６９】
本発明は、上記実施形態の構成に限定されることなく、発明の要旨を逸脱しない範囲で種々の変形が可能である。また、上記実施形態は、一例として提示したものであり、発明の範囲を限定することは意図していないものである。
例えば、拡散部材の形状や材質等は、格別限定されるものではない。種々の形態を採用することが可能である。
【００７０】
また、上記実施形態においては、四角形状に形成された導光板を用い、発光面が略四角形状に形成される場合について説明したが、例えば、導光板を六角形や八角形等に形成し、これらの各辺に対応して発光素子を配置するとともに、前フレームを円形状に形成し、導光板の発光面が円形状に露出されるようにして、円形状の発光面が形成されるように構成することもできる。
【符号の説明】
【００７１】
１・・・取付部材、２・・・光源部本体、
３・・・点灯装置、４・・・取付部（アダプタガイド）、
５・・・間接光光源部、６・・・補助部品ユニット、
７・・・光源部、８・・・導光板、
９・・・フレーム部材、１０・・・拡散カバー、
７１・・・基板、７２・・・発光素子（ＬＥＤ）、
７３・・・放熱部材（取付板）、８１・・・光入射端面、
８５・・・拡散部材、８５ａ・・・傾斜面、
Ａ・・・アダプタ、Ｃ・・・装置取付面（天井面）、
Ｃｂ・・・配線器具（引掛けシーリングボディ）、
Ｒｃ・・・赤外線リモコン送信器
【図１】
2013118150.tif 000003
【図２】
2013118150.tif 000004
【図３】
2013118150.tif 000005
【図４】
2013118150.tif 000006
【図５】
2013118150.tif 000007
【図６】
2013118150.tif 000008
【図７】
2013118150.tif 000009
【図８】
2013118150.tif 000010